(57)【特許請求の範囲】
【請求項１】
据置き型ゲーム機の基台（１６）の内部に構成される据置き型ゲーム機の判定用紙提供装置であって、
前記基台（１６）の内部に収納されたプリンタ（２）と、所定事項が印刷された判定用紙（Ｐ）を排出する前記プリンタ（２）の用紙排出口（２ａ）の下方に設けられ前記判定用紙（Ｐ）を受け取る用紙受け部（４）と、
この用紙受け部（４）に設けられ、前記用紙受け部の底部から基台（１６）に形成された用紙取出口（８）に向けて傾斜する傾斜板（７）と、
この傾斜板（７）に対向して設けられ前記用紙受け部（４）の底部から起立する背板（５）と、
この背板（５）の両側に設けられ前記基台（６）の内側面および前記背板（５）とともに筒状の案内通路（４ａ）を形成する側板（６，６）とからなり、
かつ、前記傾斜板（７）は前記判定用紙（Ｐ）の長さよりも若干短く形成され、前記用紙受け部（４）の底部に、前記判定用紙（Ｐ）の自重により落下して前記傾斜板（７）上に載置された前記判定用紙（Ｐ）の余剰端部が前記用紙取出口（８）から基台（１６）の外側に突出するようにしたこと、
を特徴とする据置き型ゲーム機の判定用紙提供装置。
【請求項２】
前記プリンタの用紙排出口の近傍には、前記プリンタから排出される判定用紙の先端を下側に付勢するためのガイド（９）を設けたことを特徴とする請求項１に記載の据置き型ゲーム機の判定用紙提供装置。
【発明の詳細な説明】
【０００１】
【発明の属する技術分野】
本発明は、表示器を備えた据置き型のゲーム機に関し、特に、前記ゲーム機におけるゲーム結果を印刷した判定用紙をプレイヤーに提供する判定用紙提供装置の改良に関する。
【０００２】
【従来の技術】
ゲームセンタ等の娯楽場に設置されているゲーム機には、ポーカーゲーム機、ボクシングゲーム機等のように競技性を有するものや相性診断装置、占い装置等のように情報に基づいてゲームを進行させるものなどがある。このようなゲーム機ではゲーム結果（診断結果）を画面表示、印刷、またはその両方を行ってプレーヤーに示している。ゲーム結果を印刷する場合、競技性を有する装置では、勝敗結果などを印刷するので文字印刷となり、人物画像を取り込んで画像に合成処理を行う占い装置や相性診断装置では、グラフィック印刷と文字印刷が行われる。
【０００３】
図４は、上記ゲーム結果を印刷した判定用紙をプレイヤーに提供する判定用紙提供装置を備えたゲーム機の一例にかかり、その全体斜視図である。ゲーム機１は、基台１６と反射板支持部１７と背景板１８と床部１９とポール１５等とにより筐体に形成されている。プレーヤーがゲームを行う場合には、この筐体内に入り、基台１６に設けられているコイン投入部１２にコインを投入することにより、ゲームが開始される。プレーヤーは反射板２０に映しだされる画像に従いながら操作ボタン１１によりデータ入力し、質問に回答する。モニタ（図示せず）は操作ボタン１１の近傍に表示面を上にして取り付けられており、画像が反射板２０に反射してプレーヤーに表示される。反射板２０の後ろ側にプレーヤーの顔を撮影するＣＣＤカメラ（図示せず）が設けられており、反射板２０としてハーフミラーが用いられているので、プレーヤーからはこのＣＣＤカメラは見えない構成になっている。ゲーム結果を印刷するプリンタ（図示せず）が基台１６の内部に設けられており、印刷終了後に判定用紙が取出口１３からプレイヤーに提供されるようになっている。
【０００４】
【発明が解決しようとする課題】
しかしながら、図示するように、従来の判定用紙提供装置は、基台１６の前面に突出するトレー１４を介して判定用紙をプレイヤーに提供するものであるため、プレイの途中においてプレイヤーの身体の一部がトレー１４に接触し、プレイの邪魔になるという問題がある。また、プレイヤーは印刷終了後にトレー１４上に排出された判定用紙を手で掴んでプリンタ側から引き出すことにより判定用紙を入手するが、判定用紙とともにトレー１４も同時に掴んでしまうことがあり、この場合判定用紙が取り出しにくくなるという欠点もある。
【０００５】
本発明は上記の問題点に鑑みてなされたもので、判定用紙提供装置の一部が基台１６の前面に突出することがなく、かつ、プレイヤーが判定用紙を極めて容易に取り出すことができるゲーム機の判定用紙提供装置を提供しようとするものである。
【０００６】
【課題を解決するための手段】
上記課題を解決するために本発明の据置き型ゲーム機の判定用紙提供装置は、据置き型ゲーム機の基台の内部に構成される据置き型ゲーム機の判定用紙提供装置であって、前記基台の内部に収納されたプリンタと、所定事項が印刷された判定用紙を排出する前記プリンタの用紙排出口の下方に設けられ前記判定用紙を受け取る用紙受け部と、この用紙受け部に設けられ、前記用紙受け部の底部から基台に形成された用紙取出口に向けて傾斜する傾斜板と、この傾斜板に対向して設けられ前記用紙受け部の底部から起立する背板と、この背板の両側に設けられ前記基台の内側面および前記背板とともに筒状の案内通路を形成する側板とからなり、かつ、前記傾斜板は前記判定用紙の長さよりも若干短く形成され、前記用紙受け部の底部に、前記判定用紙の自重により落下して前記傾斜板上に載置された前記判定用紙の余剰端部が前記用紙取出口から基台の外側に垂れ下がるようにしたことを特徴とする。また、前記プリンタの用紙排出口の近傍には、前記プリンタから排出される判定用紙の先端を下側に付勢するためのガイドを設けるものとしてもよい。
【０００７】
【発明の実施の形態】
以下、本発明の判定用紙提供装置の好適な一実施形態を図面に従って説明する。なお、以下の説明において従来例と同一部位，同一部材には同一の符号を付して詳しい説明は省略する。
図１は本発明の判定用紙提供装置の全体構成を説明する斜視図、図２は本発明の作用を説明するための主要部断面側面図である。
【０００８】
［全体構成の説明］
図１に示すように、本発明の判定用紙提供装置は、プリンタ２と、判定用紙Ｐを受け取る用紙受け部４と、この用紙受け部４の底部に立設された左右の側板６，６およびこの側板６，６に接する背板５と、前記用紙受け部の底部から基台１６の用紙取出口８に向けて傾斜して設けられた傾斜板７とから概略なっている。そして、上記構成の判定用紙提供装置は、基台１６の内部前方側に設けられた収納部１６ａに収納されている。
【０００９】
収納部１６ａは、仕切り板３によって上下に分割されていて、上方にプリンタ２が、下方に判定用紙Ｐの用紙受け部４が配置されている。プリンタ２は、所定事項を印刷した判定用紙Ｐを排出する排出口２ａを前方側に向けて、すなわち、プレイヤー側に向けて仕切り板３上に載置され、排出口２ａの真下位置には判定用紙Ｐが挿通可能な穴３ａが仕切り板３に形成されている。収納部１６ａの前面には開閉扉１６ｂが設けられ、プリンタ２の保守，点検や用紙の補給等がしやすいようになっているとともに、この開閉扉１６ｂは、防犯等のため普段は施錠されて自由に開閉できないようになっている。
【００１０】
［用紙受け部の説明］
用紙受け部４は、排出口２ａの下方に位置し、排出口２ａから排出されプリンタ２から離脱した判定用紙Ｐを受け取るようになっている。この用紙受け部４には、穴３ａを挿通して落下する判定用紙Ｐが左右方向に移動しないように規制する左右の側板６，６と、この側板６，６に接するように用紙受け部４の底部に立設され、用紙Ｐが後方向に移動しないように規制する背板５と、用紙受け部４の底部から開閉扉１６ｂまたは基台１６の前面に形成された用紙取出口８まで傾斜する傾斜板７とを有している。そして、基台１６の内側面と背板５，側板６，６とで、判定用紙Ｐを用紙受け部４の底部まで案内する筒状の案内通路４ａが形成されている。
【００１１】
［傾斜板の説明］
傾斜板７は、下端が用紙受け部４の底部で背板５に接しているとともに、上端が用紙取出口８の下側周縁と一致するようになっている。また、傾斜板７の傾斜面の長さは、判定用紙Ｐの全長（プリンタ２から排出される排出方向の長さ）よりも若干短くなるように形成されていて、傾斜板７上に載置された判定用紙Ｐの余剰端部が、用紙取出口８から基台１６の前方側に突出するようになっている。傾斜板７の傾斜角度αは、大きすぎると判定用紙Ｐが傾斜板７上に落下した際に折れ曲がったり湾曲したりし、また、小さすぎると判定用紙Ｐが傾斜面に沿ってスムースに用紙受け部４の底部側に移動しないので、適宜に選択する必要がある。この角度αは、判定用紙Ｐの紙質や厚さ等によって異なるが、３０度ないし４０度程度の範囲内で選択することが望ましい。
【００１２】
なお、上述したように案内通路４ａは側板６，６と背板５等によって形成されるが、案内通路４ａの幅（左右方向の幅）は、判定用紙Ｐが用紙受け部４の底部までスムースに落下できるように判定用紙Ｐの幅よりも若干広幅に形成しなければならず、かつ、穴３ａを挿通する判定用紙Ｐと案内通路４ａの上端部とが干渉しないように、穴３ａと同一または穴３ａよりも大きく形成しなければならない。
【００１３】
［ガイドの説明］
この実施形態においては、図示するように、プリンタ２の用紙排出口２ａの上方にガイド９が設けられている。このガイド９は、用紙排出口２ａから排出されてくる判定用紙Ｐの先端を下側に付勢することにより、プリンタ２の排出動作とともに判定用紙Ｐに反時計回り方向の回転力を付与するものである。傾斜板７の上に落下した判定用紙Ｐは、この回転力により傾斜面上をスムースに滑って用紙受け部４の底部に着床することができるようになるので、傾斜板７に載置される判定用紙Ｐが湾曲したり折れ曲がったりすることがない。
なお、ガイド９はプリンタ２側および基台１６の内側面のいずれに設けるものとしてもよい。
【００１４】
［他の実施形態］
図３は本発明の他の実施形態を示す主要部の断面側面図である。この実施形態においては、案内通路４ａ内の背板５と基台１６の内側面との間に、板状の案内部材１０が設けられている。案内部材１０は、上端が穴３ａの周縁と一致するように仕切り板３に取り付けられ、下端と傾斜板７との間に十分な隙間を有するように設けられている。この案内部材１０を設けることにより、判定用紙Ｐはほぼ垂直に近い状態を維持したまま傾斜板７上に落下し、傾斜板７の上方側から傾斜面に沿って用紙受け部４の底部まで滑り落ちるので、傾斜板７の上で折れ曲がったり湾曲したりすることがないという特徴がある。
【００１５】
［作用］
次に上記構成の本発明の判定用紙提供装置の作用を説明する。
ゲームが終了すると、ゲーム機１のＣＰＵ（図示せず）からの印刷指令により、プリンタ２が所定事項を判定用紙Ｐに印刷する。
印刷終了後に判定用紙Ｐは用紙排出口２ａから排出されるが、判定用紙Ｐの先端は自重により、またはガイド９の作用により下側に向けられ、穴３ａを挿通して用紙受け部４に落下する。この際、判定用紙Ｐの左右方向および前後方向の移動は側板６，６および背板５，基台１６の内側面により規制されるので、判定用紙Ｐは確実に傾斜板７上に落下する。傾斜板７上に落下した判定用紙Ｐは、斜面に沿って滑り落ち、余剰端部を用紙取出口８から突出させた状態で傾斜板７に載置される。特に、ガイド９や案内部材１０を設けたものは、傾斜板７上で判定用紙Ｐが湾曲したり、折れ曲がったりしたりすることがない。
【００１６】
傾斜板７の上に載置された判定用紙Ｐは、余剰端部が用紙取出口８から基台１６の前方側に突出するので、一目で印刷の終了が確認でき、かつ、判定用紙Ｐの前記余剰端部を掴んで用紙受け部４から引き出すことにより、極めて容易に判定結果を入手することができる。
【００１７】
本発明の好適な実施形態を説明してきたが、本発明は上記の実施形態により何ら限定されるものではない。例えば、上記の実施形態において側板６，６，背板５等で構成される案内通路４ａは、図示するように仕切り板３と同一高さ位置まで達しているものとして説明したが、案内通路４ａは判定用紙Ｐがプリンタ２から離脱する際に判定用紙Ｐを左右および前後方向から案内して確実に傾斜板７に落下できるようにできればよいのだから、必ずしも仕切り板３と同一高さ位置まで延長させる必要はない。
【００１８】
【発明の効果】
本発明の判定用紙提供装置は上記のように構成されているので、基台から突出する部分がなく、プレイの最中にプレイヤーの邪魔になるということがない。また、用紙取出口から判定用紙の一部を突出させることにより、印刷の終了を確実にプレイヤーに伝えることができ、かつ、その取り出しも極めて容易である。
さらに、ガイドを設けたものは、傾斜板上における判定用紙の滑りを良好にして斜面上で判定用紙が湾曲等しないように防止するので、より確実にプレイヤーに判定用紙を受け渡すことができるようになる。
【図面の簡単な説明】
【図１】本発明の判定用紙提供装置の全体構成を説明する斜視図である。
【図２】本発明の作用を説明する主要部の断面側面図である。
【図３】本発明の他の実施形態を示す主要部の断面側面図である。
【図４】本発明の従来例の説明図である。
【符号の説明】
Ｐ                    判定用紙
１                    ゲーム機
２                    プリンタ
２ａ                  排出口
３                    仕切り板
３ａ                  穴
４                    用紙受け部
４ａ                  案内通路
５                    背板
６                    側板
７                    傾斜板
８                    用紙取出口
９                    ガイド
１０                  案内部材
１１                  操作ボタン
１２                  コイン投入部
１３                  判定用紙取出口
１４                  トレー
１５                  ポール
１６                  基台
１６ａ                収納部
１６ｂ                開閉扉
【図１】
0003725601.tif 000002
【図２】
0003725601.tif 000003
【図３】
0003725601.tif 000004
【図４】
0003725601.tif 000005